(57)【要約】【課題】メッキ液が入れられたメッキタンク内で基板オンラインメッキ作業時、メッキする薄板の基板を案内するメッキ基板案内用のモジュール型ガードレールにおいて、可変形に設置可能であるのみならず、メッキ液の流れを向上し、揺れを予防し、かつ、スクラッチを防止することができるものを提供する。【解決手段】メッキタンク内に設置され、メッキを施す基板(１)をオンライン進行方式にて案内しつつ揺れを予防するメッキ基板案内用ガードレールにおいて、上記基板(１)の進行方向に沿って、メッキ液の流れ通路(２)を備える傾斜した格子案内部(３)が同一の登り間隔で平行に配列される。また、これら格子案内部(３)が、基板進行方向における前後両側の垂直保持台(４)と、上下の水平保持台(５ａ,５ｂ)とによって連結されており、上記格子案内部(３)の基板進入の入口を形成するガード保持ピン(６)が三角形状をなす。【選択図】図１
0003105452.tif 000002
【実用新案登録請求の範囲】
【請求項１】
メッキタンク内に設置され、オンライン進行方式でメッキする基板(１)を案内し、揺れを予防するメッキ基板案内用ガードレールにおいて、
前記基板(１)の進行方向に沿って、メッキ液流れの通路(２)を備える傾斜した格子案内部(３)が、同一の登り間隔で平行に配列され、これら格子案内部(３)を、基板進行方向における前後両側の垂直保持台(４)と、上下の水平保持台(５ａ，５ｂ)とで連結させたものであり、上記格子案内部(３)の基板進入の入口を形成するガード保持ピン(６)が、三角形状に形成されてなることを特徴とするメッキ基板案内用のモジュール型ガードレール。
【請求項２】
上記各々の格子案内部(３)の側部は、滑らかですべすべしたラウンド面(３)で形成され、メッキ作業中、移動する基板(１)との接触時における基板(１)のスクラッチ現象を予防するものであり、その材質がポリプロピレン、ポリエチレンまたはポリ塩化ビニルであることを特徴とする請求項１に記載のメッキ基板案内用のモジュール型ガードレール。
【考案の詳細な説明】
【技術分野】
【０００１】
本考案は、メッキ液が入れられたメッキタンク内で基板オンラインメッキ作業時、メッキする薄板の基板を案内するメッキ基板案内用のモジュール型ガードレールに関する。特には、可変形に設置可能だけでなく、メッキ液の流れを向上しつつ、揺れを予防してスクラッチを防止することができるメッキ基板案内用のモジュール型ガードレールに関する。
【背景技術】
【０００２】
周知の通り、メッキの中でも電気メッキは、金属のイオンを含有した溶液に電極を入れて電流を流し、これにより、陰極から金属イオンが放電して析出するようにする。このことを利用して、陰極に置いた物品の表面に金属の薄い膜を作るのである。
【０００３】
このような電気メッキの一般的な工程は、脱水→研磨→脱脂→化学的な浸漬処理→電気メッキ→後処理→乾燥の順序で進められる。
【０００４】
メッキする基板がメッキタンク内に浸漬され、オンライン状態（連続処理）で進行されて電気メッキが行われるが、この際、メッキされる基板の揺れと、基板の引っ掻き（ひっかき）といったスクラッチとを予防するために、基板を案内するガードレールが設置されている。
【０００５】
従来、このような役割を果たすガードレールは、メッキタンク内に設置される固定式のガードレール構造からなっているため、設置した後、作業工程の変更による可変が困難である。そのため、廃棄するなどされ、再利用が不可能であった。
【０００６】
また、固定式に設置されるという問題だけでなく、メッキタンク内でメッキ液の流れを円滑に誘導できず、基板をオンライン進行方向へガードする際、ガードレールの案内接触部に基板がひっかかり、基板スクラッチのようなメッキ基板の不良率の増大と、基板揺動の偏差を効果的に除去できない短所などがあった。
【考案の開示】
【考案が解決しようとする課題】
【０００７】
これに、本考案は、上記のような従来の問題点を解決するために案出されたものとして、基板オンラインメッキ作業時、基板の揺れを防ぎ、メッキ偏差を除去して、メッキ液の流れを向上させ、メッキ不良率の減少と、必要に応じて可変的に組立、分解設置が可能なメッキ基板案内用のモジュール型ガードレールを提供することにその目的がある。
【課題を解決するための手段】
【０００８】
上記のような目的を達成するための本考案は、メッキ液が入れられたメッキタンク内に設置され、メッキする基板をオンライン進行形式で案内しつつ揺れを防止するメッキ基板案内用ガードレールにおいて、上記基板の進行方向に沿って、メッキ液の流れ通路を備える傾斜した格子案内部が同一の登り間隔（上昇方向の間隔）でもって複数が平行に設置され、これら格子案内部を、基板進行方向における前後両側の垂直保持台と、上下の水平保持台とで連結するものである。また、上記格子案内部において、基板進入の入口をなすガード保持ピンは、三角形状に形成されている。
【考案の効果】
【０００９】
下記に詳細に説明するように、本考案によるメッキ基板案内用のモジュール型ガードレールは、下記のような長所を備える。
【００１０】
(i) メッキタンク内で基板オンラインメッキ作業時、基板の揺れを予防する。
【００１１】
(ii) 基板のスクラッチのような引っ掛かりを防止し、メッキ不良が減少する。
【００１２】
(iii) メッキの偏差を除去する。
【００１３】
(iv) メッキ液の流れを良好に維持させる構造を有する。
【００１４】
(v) モジュール構造として多様なサイズに適用できる可変形構造となっている。
【考案を実施するための最良の形態】
【００１５】
以下、本考案を添付の例示図面に基づき詳細に説明する。
【００１６】
図１乃至図３は、本考案によるメッキ基板案内用のモジュール型ガードレールの構造を示した正面図、側面図と平面図である。
【００１７】
本考案は、図面に図示されていない公知のメッキタンク内に設置され、メッキする基板(１)をオンライン進行方式で案内し、揺れを予防するメッキ基板案内用のガードレールにおいて、上記基板(１)の進行方向に沿ってメッキ液の流れ通路(２)を備える傾斜した格子案内部(３)が同一の登り間隔で平行に配列され、これら格子案内部(３)を、基板進行方向における前後両側の垂直保持台(４)と、上下水平保持台(５ａ、５ｂ)とで連結させている。また、ここで、上記格子案内部(３)の基板進入の入口を形成するガード保持ピン(６)が、三角形状に形成されており、着脱が容易な構造になっている。
【００１８】
ここで、上記各々の格子案内部(３)の側部は、滑らかですべすべしたラウンド面(３ａ)（断面が、滑らかに膨出する曲線状または円弧状の曲面であって表面に引っ掛かりを生じるような凹凸がないもの）から形成され、メッキ作業中、移動する基板(１)との接触時における基板(１)のスクラッチ現象を予防している。材質は、ポリプロピレン（ＰＰ）、ポリエチレン（ＰＥ）またはポリ塩化ビニル（ＰＶＣ）である。
【００１９】
また、これらの格子案内部(３)を支える下部水平保持台(５ｂ)には、メッキタンクに設置できるようにアンカー部(７)が形成されている。
【００２０】
このように構成された、本考案によるメッキ基板案内用のモジュール型ガードレールは、メッキタンク内に、図３及び図４のように配置される。２つのモジュール型ガードレールが平行設置された状態にて、メッキされる基板(１)が、これらガードレールのオンライン進行通路方式である矢印(Ａ)方向へと、公知のハンガーラックによって進入されて移動する。この際、モジュール型ガードレールが揺れを予防することになり、また、メッキ中にメッキ液が、格子案内部(３)の間に形成されたメッキ液流れ通路(２)を通して自由に流れ、基板(１)に円滑なメッキが行われるように助ける。
【００２１】
一方、基板(１)が格子案内部(３)の間を通過する際、この格子案内部(３)の先端が、たいへん滑らかで丸い形状のラウンド面(３ａ)からなっており、基板が接触してもこの基板(１)にスクラッチの発生を起こさないようになっている。
【００２２】
また、メッキするメッキ液の化学薬品によって、本考案によるガードレールの材質をポリエチレン、ポリプロピレンまたはＰＶＣなどに多様に変更して製作することができる。また、本考案はモジュール型に製作され、図３のように幾つかを直列に連結する時、メッキタンク内でその大きさを多様に変更することができる可変形となっている。
【図面の簡単な説明】
【００２３】
【図１】本考案によるメッキ基板案内用のモジュール型ガードレールの正面図である。
【図２】図１に示したモジュール型ガードレールの側面図である。
【図３】メッキタンク内に、モジュール型のものとして連続設置される本考案のガードレールの平面図である。
【図４】本考案のモジュール型ガードレールの使用状態を示した概略図である。
【符号の説明】
【００２４】
1 : 基板
2 : メッキ液流れの通路
3 : 格子案内部
4 : 垂直保持台
5a, 5b : 水平保持台
6 : ガード保持ピン
7 : アンカー部
【図１】
0003105452.tif 000003
【図２】
0003105452.tif 000004
【図３】
0003105452.tif 000005
【図４】
0003105452.tif 000006